(57)【要約】      （修正有）【課題】共振スロットを備えたマルチポートアンテナ構造体を有する電子機器を提供する。【解決手段】電子機器１０は、高周波送受信機回路１１６、１１８及びアンテナ構造体４０を含むことができる。アンテナ構造体は、第１及び第２アンテナポート１Ａ、１Ｂを有する逆Ｆアンテナ４０Ａを形成する、逆Ｆアンテナ共振要素５０及びアンテナ接地５２を含んでもよい。アンテナ構造体はスロットアンテナ共振要素１３２を含んでもよい。スロットアンテナ共振要素は第１の通信帯域における周波数で逆Ｆアンテナの寄生アンテナ共振要素１３２として機能してもよく、第２の通信帯域における周波数でスロットアンテナとして機能してもよい。スロットアンテナは第３のアンテナポート２を使用して直接信号供給されてもよい。調節可能なコンデンサ１０６Ａは第１のアンテナポートに結合して逆Ｆアンテナを同調してもよい。【選択図】図５
0003205417.tif 000002
【実用新案登録請求の範囲】
【請求項１】
アンテナ接地と、
前記アンテナ接地とともに第１のアンテナを形成するアンテナ共振要素であって、前記第１のアンテナは第１及び第２のポートを有する、アンテナ共振要素と、
第３のアンテナポートを有するスロットアンテナ共振要素であって、前記スロットアンテナ共振要素は前記第３のアンテナポートを介して信号を取り扱う第２のアンテナを形成し、前記スロットアンテナ共振要素は前記第１のアンテナの寄生アンテナ共振要素を形成する、スロットアンテナ共振要素と
を備えることを特徴とする、
電子機器のアンテナ構造体。
【請求項２】
前記スロットアンテナ共振要素は、前記アンテナ共振要素の部分と前記アンテナ接地との間に形成されるスロットを備えることを特徴とする、請求項１に記載の電子機器のアンテナ構造体。
【請求項３】
前記アンテナ共振要素は電子機器の導電性周囲筐体構造体を備えることを特徴とする、請求項２に記載の電子機器のアンテナ構造体。
【請求項４】
前記第１のアンテナはデュアルアーム式逆Ｆアンテナを備えることを特徴とする、請求項３に記載の電子機器のアンテナ構造体。
【請求項５】
スロットアンテナは、前記第３のアンテナポートを使用して、５ＧＨｚの通信帯域の無線ローカルエリアネットワークを送受信するように構成されることを特徴とする、請求項４に記載の電子機器のアンテナ構造体。
【請求項６】
前記スロットアンテナ共振要素は、２．４ＧＨｚにおいて前記第１のアンテナの動作中に、前記第１のアンテナの前記アンテナ共振要素に近傍界結合されていることを特徴とする、請求項４に記載の電子機器のアンテナ構造体。
【請求項７】
前記第２のアンテナポートに結合されたバンドパスフィルタを更に備えることを特徴とする、請求項１に記載の電子機器のアンテナ構造体。
【請求項８】
前記第１のアンテナポートに結合された調節可能なコンデンサを更に備えることを特徴とする、請求項１に記載の電子機器のアンテナ構造体。
【請求項９】
前記スロットを橋絡する調節可能なコンデンサを更に備え、前記調節可能なコンデンサは前記第１のアンテナのアンテナ共振を同調する調節可能なコンデンサ値を生成するように構成され、前記調節可能なコンデンサはスイッチング回路及び複数の固定コンデンサを備えることを特徴とする、請求項１に記載の電子機器のアンテナ構造体。
【請求項１０】
無線ローカルエリアネットワーク信号、衛星航法システム信号及びセルラー電話信号を取り扱うように構成された高周波送受信機回路と、
第１、第２及び第３のアンテナポートを有するアンテナ構造体であって、前記アンテナ構造体は前記第１及び第２アンテナポートが結合された逆Ｆアンテナ共振要素及び前記第３のアンテナポートが結合されたスロットアンテナ共振要素を含む、アンテナ構造体と、
前記高周波送受信機回路と前記第１のアンテナポートとの間に結合された第１の調節可能なコンデンサと、
前記スロットアンテナ共振要素を橋絡する第２の調節可能なコンデンサと
を備えることを特徴とする、装置。
【請求項１１】
前記アンテナ構造体は前記第１のアンテナポートを使用して少なくとも第１及び第２の通信帯域において高周波信号を取り扱うように構成され、前記第１の調節可能なコンデンサは前記第１の通信帯域におけるアンテナ共振を同調するように構成され、前記第２の調節可能なコンデンサは前記第２の通信帯域における第２のアンテナ共振を同調するように構成され、前記スロットアンテナ共振要素は第３の通信帯域における高周波信号用のスロットアンテナを形成することを特徴とする、請求項１０に記載の装置。
【請求項１２】
前記第３の通信帯域は５ＧＨｚの無線ローカルエリアネットワーク通信帯域を備え、前記高周波送受信機回路は、前記第３のアンテナポート及び前記スロットアンテナを使用して、前記５ＧＨｚの無線ローカルエリアネットワーク通信帯域において信号を送受信するように構成される無線ローカルエリアネットワーク送受信機を含み、前記高周波送受信機回路は前記第２のアンテナポートに結合された衛星航法システム受信機を備え、前記高周波送受信機回路は前記第１及び第２の通信帯域において信号を送受信するための前記第１のアンテナポートに結合されたセルラー電話送受信機を備えることを特徴とする、請求項１１に記載の装置。
【請求項１３】
アンテナ構造体であって、前記アンテナ構造体は、アンテナ接地、前記アンテナ接地とともに逆Ｆアンテナを形成する逆Ｆアンテナ共振要素並びにスロットアンテナとして及び前記逆Ｆアンテナの寄生アンテナ共振要素として機能するスロットアンテナ共振要素含む、アンテナ構造体と、
第１の通信帯域における信号を取り扱うために前記逆Ｆアンテナを使用し、第２の通信帯域における信号を取り扱うために前記スロットアンテナを使用する無線回路と
を備えることを特徴とする、電子機器。
【請求項１４】
前記無線回路は、
無線ローカルエリアネットワーク送受信機と、
前記無線ローカルエリアネットワーク送受信機と前記スロットアンテナ共振要素との間に結合された伝送線路構造体と
を備え、
前記無線ローカルエリアネットワーク送受信機は、前記スロットアンテナが前記第２の通信帯域における無線ローカルエリアネットワーク信号を取り扱うように、前記スロットアンテナ共振要素に直接信号供給し、前記無線回路はセルラー電話送受信機及びデュプレクサ回路を備え、前記デュプレクサ回路は前記無線ローカルエリアネットワーク送受信機に結合される第１のポート及び前記セルラー電話送受信機に結合される第２のポートを有することを特徴とする、
請求項１３に記載の電子機器。
【請求項１５】
前記デュプレクサ回路は前記逆Ｆアンテナに結合された共有ポートを有し、前記逆Ｆアンテナは第１及び第２のアンテナポートを有し、前記デュプレクサ回路の前記共有ポートは前記第１のアンテナポートに結合されることを特徴とする、請求項１４に記載の電子機器。
【請求項１６】
前記デュプレクサ回路の前記共有ポートと前記第１のアンテナポートとの間に結合された調節可能な回路を更に備え、前記調節可能な回路は前記逆Ｆアンテナを同調するように構成され、前記調節可能な回路は調節可能なコンデンサを備えることを特徴とする、請求項１５に記載の電子機器。
【請求項１７】
前記スロットアンテナ共振要素を橋絡する調節可能な回路を更に備え、前記調節可能な回路は調節可能なコンデンサを備えることを特徴とする、請求項１３に記載の電子機器。
【請求項１８】
導電性周囲筐体構造体を有する筐体を更に備え、前記逆Ｆアンテナ共振要素は前記導電性周囲筐体構造体の一部を含むことを特徴とする、請求項１３に記載の電子機器。
【請求項１９】
前記スロットアンテナ共振要素は前記導電性周囲筐体構造体の前記一部及び前記アンテナ接地から形成された縁部を有するスロットを備え、前記アンテナ構造体は前記スロットを橋絡する調節可能なコンデンサを更に備え、前記調節可能なコンデンサは前記逆Ｆアンテナを同調するように構成されることを特徴とする、請求項１８に記載の電子機器。
【請求項２０】
前記逆Ｆアンテナは少なくとも１つのアンテナポートを備え、前記電子機器は前記逆Ｆアンテナを同調するために前記アンテナポートに結合された付加的な調節可能なコンデンサを更に備え、前記調節可能なコンデンサは前記第１の通信帯域における前記逆Ｆアンテナを同調するように構成され、前記付加的な調節可能なコンデンサは第３の通信帯域における前記逆Ｆアンテナを同調するように構成され、前記第１の通信帯域は７６０ＭＨｚから９６０ＭＨｚの通信帯域を備え、前記第２の通信帯域は５ＧＨｚの無線ローカルエリアネットワーク通信帯域を備え、前記第３の通信帯域は２．３から２．７ＧＨｚの通信帯域を備え、前記電子機器は前記調節可能なコンデンサ及び前記付加的な調節可能なコンデンサを制御するように構成される制御回路を更に備えることを特徴とする、請求項１９に記載の電子機器。
【考案の詳細な説明】
【背景技術】
【０００１】
本出願は、その全体が参照により本明細書に組み込まれる、２０１３年３月１８日出願の米国特許出願第１３／８４６，４５９号に対する優先権を主張する。
【０００２】
本出願は、全般的には電子機器に関し、より具体的には、無線通信回路を有する電子機器用のアンテナに関する。
【０００３】
ポータブルコンピュータ及びセルラー電話機のような電子機器には、多くの場合、無線通信機能が備えられている。例えば、電子機器は、セルラー電話帯域を使用して通信するセルラー電話回路のような長距離無線通信回路を使用する場合がある。電子機器は、無線ローカルエリアネットワーク通信回路のような近距離無線通信回路を使用して近傍の装置との通信を取り扱う場合がある。電子機器はまた、衛星航法システム受信機及びその他の無線回路を備えている場合もある。
【０００４】
小型フォームファクタの無線機器に対する消費者の要求を満たすために、メーカーは小型の構造体を使用したアンテナ構成要素などの無線通信回路を実現するべく努力を続けている。同時に、金属製の機器筐体の構成要素などの導電性構造体を電子機器に含めることが望ましい場合がある。導電性構成要素は高周波性能に影響を及ぼす可能性があるので、導電性構造体を含む電子機器内にアンテナを組み込む場合には注意を払う必要がある。更には、機器内のアンテナ及び無線回路が動作周波数の範囲全体にわたって十分良好な性能を発揮できることを保証するために、注意を払う必要がある。
【０００５】
したがって、無線電子機器のための改良された無線通信回路を提供できることが望ましいであろう。
【考案の概要】
【０００６】
電子機器は、高周波送受信機回路及びアンテナ構造体を含むことができる。アンテナ構造体は、第１及び第２アンテナポートを有する逆Ｆアンテナを形成する、逆Ｆアンテナ共振要素及びアンテナ接地を含んでもよい。アンテナ構造体はスロットアンテナ共振要素を含んでもよい。スロットアンテナ共振要素は逆Ｆアンテナの寄生アンテナ共振要素として機能してもよく、スロットアンテナとして機能してもよい。スロットアンテナは第３のアンテナポートを使用して信号供給されてもよい。
【０００７】
逆Ｆアンテナは第１のアンテナポートを使用して低帯域及び高帯域におけるセルラー電話信号をカバーするように構成されてもよい。逆Ｆアンテナはまた、逆Ｆアンテナを使用する無線ローカルエリアネットワーク信号を取り扱ってよい。高帯域のセルラー電話通信帯域より高い周波数である通信帯域における無線ローカルエリアネットワーク信号を第３のアンテナポートを使用してスロットアンテナによって取り扱ってよい。第２のアンテナポートを使用して、逆Ｆアンテナは衛星航法システム信号を受信できる。
【０００８】
無線回路はアンテナ構造体に結合されてもよい。無線回路は第２のポートに結合された衛星航法システム受信機を含んでもよい。無線回路はまた、無線ローカルエリアネットワーク送受信機及びセルラー電話送受信機を含んでもよい。デュプレクサ回路はセルラー電話送受信機に結合されるポート、無線ローカルエリアネットワーク送受信機に結合されるポート及び逆Ｆアンテナの第１のアンテナポートに結合された共有ポートを有し得る。
【０００９】
無線ローカルエリアネットワーク送受信機は第３のアンテナポートにおいてスロットアンテナに結合されるポートを有し得る。スロットアンテナは５ＧＨｚの無線ローカルエリアネットワーク帯域などの帯域において無線ローカルエリアネットワーク信号を取り扱う際に使用してもよい。２．４ＧＨｚの無線ローカルエリアネットワーク帯域に関連した信号をデュプレクサ回路を使用して逆Ｆアンテナの第１のポートへ及び逆Ｆアンテナの第１のポートからルーティングしてよい。
【００１０】
調節可能なコンデンサは第１のアンテナポートに結合して、セルラー電話の低帯域において逆Ｆアンテナを同調してもよい。逆Ｆアンテナはまた、スロットアンテナ共振要素を橋絡する調節可能なコンデンサを使用して同調してもよい。スロットアンテナ共振要素を橋絡する調節可能なコンデンサに対する調節を使用して例えば、２．４ＧＨｚの無線ローカルエリアネットワーク帯域及び近傍のセルラー電話周波数を含む通信帯域におけるアンテナ性能を同調してもよい。
【００１１】
添付の図面及び以下の好適な実施形態の詳細な説明から、本考案の更なる特徴、性質、及び様々な利点がより明白となるであろう。
【図面の簡単な説明】
【００１２】
【図１】本考案の一実施形態に係る、無線通信回路を有する例示的な電子機器の斜視図である。
【図２】本考案の実施形態に係る、無線通信回路を有する例示的な電子機器の概略図である。
【図３】本考案の一実施形態に係る、例示的な同調可能なアンテナの図である。
【図４】本考案の一実施形態に係る、電子機器内のアンテナ構造体を同調する際に使用することが可能なタイプの例示的な調節可能なコンデンサの図である。
【図５】本考案の実施態様に係る、筐体構造体から形成された２つのアンテナポートを備えるデュアルアーム式逆Ｆアンテナ共振要素を有し、別のアンテナポートに結合されたスロットベースのアンテナ共振要素を有する、例示的な同調可能な電子機器アンテナ構造体の図である。
【図６】本考案の一実施形態に係る、図５に示すタイプの同調可能なアンテナの周波数に応じたアンテナ性能のグラフである。
【考案を実施するための形態】
【００１３】
図１の電子機器１０のような電子機器は、無線通信回路を設けることができる。この無線通信回路は、複数の無線通信帯域での無線通信に対応するために使用することができる。この無線通信回路は、１つ以上のアンテナを含むことができる。
【００１４】
アンテナとしては、ループアンテナ、逆Ｆアンテナ、ストリップアンテナ、平板逆Ｆアンテナ、スロットアンテナ、１つよりも多くのタイプのアンテナ構造体を含む複合アンテナ、又はその他の好適なアンテナを挙げることができる。所望であれば、アンテナ用の導電性構造体は、電子機器の導電性構造体から形成することができる。電子機器の導電性構造体としては、導電性筐体構造体を挙げることができる。筐体構造体としては、電子機器の周りに延びる導電性周囲部材などの周囲構造体を挙げることができる。導電性周囲部材は、ディスプレイなどの平面構造体のベゼルとして機能することができ、機器の筐体の側壁構造体として機能することができ、及び／又はその他の筐体構造体を形成することができる。導電性周囲部材内のギャップを、アンテナに関連付けることができる。
【００１５】
電子機器１０は、ポータブル電子機器又はその他の好適な電子機器であり得る。例えば、電子機器１０は、ラップトップコンピュータ、タブレットコンピュータ、腕時計型機器、ペンダント型機器、ヘッドホン型機器、イヤホン型機器、若しくはその他の着用可能な若しくはミニチュア機器などの幾分小さめの機器、セルラー電話、又はメディアプレーヤであってもよい。機器１０はまた、テレビ、セットトップボックス、デスクトップコンピュータ、コンピュータを内蔵するコンピュータ用モニター、又はその他の好適な電子機器であってもよい。
【００１６】
機器１０は、筐体１２のような筐体を含むことができる。ケースと呼ばれることもあり得る筐体１２は、プラスチック、ガラス、セラミックス、繊維複合材、金属（例えばステンレス鋼、アルミニウムなど）、その他の好適な材料、又はこれら材料の組み合わせで形成することができる。一部の状況では、筐体１２の一部は、誘電体又はその他の低導電性材料から形成することができる。その他の状況では、筐体１２又は筐体１２を構成する構造体の少なくとも一部を金属要素から形成することができる。
【００１７】
所望であれば、機器１０はディスプレイ１４のようなディスプレイを有することができる。ディスプレイ１４は、例えば容量性タッチ電極を組み込んだタッチスクリーンであってもよい。ディスプレイ１４は、発光ダイオード（ＬＥＤ）、有機ＬＥＤ（ＯＬＥＤ）、プラズマセル、エレクトロウェッティングピクセル、電気泳動ピクセル、液晶ディスプレイ（ＬＣＤ）構成要素、又はその他の好適な画像ピクセル構造体から形成される、画像ピクセルを含むことができる。透明なガラス又はプラスチックの層のようなディスプレイカバー層で、ディスプレイ１４の表面を覆うことができる。ボタン１９のようなボタンが、カバー層にある開口部を貫通することができる。カバー層はまた、スピーカポート２６のための開口部のようなその他の開口部を有することもできる。
【００１８】
筐体１２は、構造体１６のような周囲筐体構造体を含むことができる。構造体１６は、機器１０及びディスプレイ１４の周りに延びることができる。機器１０及びディスプレイ１４が矩形形状を有する構成において、構造体１６は（一例として）矩形環形状を有する周囲筐体部材を使用して具体化することができる。周囲構造体１６又は周囲構造体１６の一部は、ディスプレイ１４のベゼル（例えば、ディスプレイ１４の４辺全てを囲み、及び／又はディスプレイ１４を機器１０に保持する上で役立つ装飾用トリム）として機能することができる。所望であれば、周囲構造体１６はまた、（例えば、垂直側壁を有する金属バンドなどを形成することにより）機器１０の側壁構造体を形成することもできる。
【００１９】
周囲筐体構造体１６は金属などの導電材料で形成することも可能であり、したがって、（例として）導電性周囲筐体構造体、導電性筐体構造体、周囲金属構造体又は導電性周囲筐体部材と称されることもあり得る。周囲筐体構造体１６は、ステンレス鋼、アルミニウムなどの金属、又はその他の好適な材料から形成することができる。周囲筐体構造体１６を形成する際に、１つ、２つ、又は２つよりも多くの別個の構造体を使用してもよい。
【００２０】
周囲筐体構造体１６が均一な断面を有する必要はない。例えば、所望であれば、周囲筐体構造体１６の上部部分が、ディスプレイ１４を適所に保持する上で役立つ内向きに突出したリップを有することができる。所望であれば、周囲筐体構造体１６の下部部分もまた拡大されたリップを（例えば、機器１０の背面の平面内に）有することができる。図１の例では、周囲筐体構造体１６はほぼ垂直な真っ直ぐな側壁を有する。これは単なる例示に過ぎない。周囲筐体構造体１６によって形成された側壁は、湾曲していてもよく、又はその他の好適な形状を有することができる。幾つかの構成では（例えば、周囲筐体構造体１６がディスプレイ１４のベゼルとして機能する場合）、周囲筐体構造体１６は、筐体１２のリップの周りに延びることができる（即ち、周囲筐体構造体１６が、筐体１２のディスプレイ１４を囲む縁部のみを覆い、筐体１２の側壁の残りは覆わなくてもよい）。
【００２１】
所望であれば、筐体１２は導電性の背面を有し得る。例えば、筐体１２は、ステンレス鋼又はアルミニウムなどの金属から形成することができる。筐体１２の背面はディスプレイ１４と平行である平面上にある。筐体１２の背面が金属で形成されている機器１０の構造において、筐体１２の背面を形成する筐体構造体の一体部分として導電性周囲筐体構造体１６の部分を形成するのが望ましい場合もある。例えば、機器１０の筐体後壁部は平坦な金属構造体から形成されてよく、筐体１２の左右両側の周囲筐体構造体１６の部分は平坦な金属構造体の一体型の金属部分を垂直に延長するように形成されてよい。これらのような筐体構造体は、所望であれば、金属のブロックから加工してもよい。
【００２２】
ディスプレイ１４は、容量性電極のアレイ、ピクセル要素をアドレス指定するための導電線、駆動回路などの導電性構造体を含むことができる。筐体１２は、金属フレーム部材、筐体１２の壁部に広がる（中央平面と呼ぶこともある）平面筐体部材（即ち、部材１６の対辺間を溶接ないしは別の方法で接続するほぼ矩形の一つ以上の部分から形成されたシート）、プリント回路基板、及びその他の導電性の内部構造体などの内部構造体を含むことができる。これらの導電性構造体は、（例として）ディスプレイ１４の下の筐体１２の中央に配置することができる。
【００２３】
領域２２及び２０内において、機器１０の導電性構造体の内部（例えば、導電性周囲筐体構造体１６と、導電性筐体中央平面又は筐体後壁部構造体、プリント回路基板に関連付けられた導電性接地平面、及び機器１０内の導電性電気構成要素などの対向する導電性構造体との間）に開口部を形成することができる。ギャップと称されることもあり得る、これらの開口部は空気、プラスチック及びその他の誘電体で充填されてよい。導電性筐体構造体及び機器１０内のその他の導電性構造体が、機器１０内のアンテナの接地平面として機能することができる。領域２０及び２２にある開口部は、オープンスロットアンテナ若しくはクローズドスロットアンテナ内のスロットとして機能することができ、ループアンテナ内の材料のうちの導電路によって囲まれた中央の誘電体領域として機能することができ、ストリップアンテナ共振要素若しくは逆Ｆアンテナ共振要素のようなアンテナ共振要素を接地平面から分離するスペースとして機能することができ、寄生アンテナ共振要素の性能に寄与でき、又は領域２０及び２２内に形成されたアンテナ構造体の一部として別の機能を果たすことができる。
【００２４】
機器１０は、一般的に任意の好適な数（例えば、１つ以上、２つ以上、３つ以上、４つ以上など）のアンテナを含むことができる。機器１０のアンテナは、機器の細長い筐体の対向する第１及び第２の端部に、機器の筐体の１つ以上の縁部に沿って、機器の筐体の中央に、その他の好適な場所に、又はこのような場所のうちの１つ以上の場所に配置することができる。図１の構成は、単なる例示に過ぎない。
【００２５】
周囲筐体構造体１６の部分にギャップ構造体を設けることができる。例えば、周囲筐体構造体１６に、図１に示すようにギャップ１８のような１つ以上のギャップを設けることができる。周囲筐体構造体１６内のギャップは、ポリマー、セラミック、ガラス、空気、その他の誘電材料などの誘電体、又はこれらの材料の組み合わせで充填することができる。ギャップ１８は、周囲筐体構造体１６を１つ以上の導電性周囲セグメントに分割することができる。例えば、周囲筐体構造体１６内の２つの導電性周囲セグメント（例えば、２箇所のギャップを有する構成）、３つの導電性周囲セグメント（例えば、３箇所のギャップを有する構成）、４つの導電性周囲セグメント（例えば、４箇所のギャップを有する構成など）があってもよい。このようにして形成される導電性周囲筐体構造体１６のセグメントは、機器１０内のアンテナの部分を形成することができる。
【００２６】
一般的なシナリオでは、機器１０は（例として）上部アンテナ及び下部アンテナを有することができる。上部アンテナは例えば、領域２２内において機器１０の上端に形成することができる。下部アンテナは例えば、領域２０内において機器１０の下端に形成することができる。これらのアンテナは、同一の通信帯域、重なり合う通信帯域、又は別個の通信帯域をカバーするために別々に使用することができる。これらのアンテナは、アンテナダイバーシティ方式又は多重入出力（ＭＩＭＯ）アンテナ方式を実施するために使用することができる。
【００２７】
機器１０のアンテナは、対象とする任意の通信帯域に対応するために使用することができる。例えば、機器１０は、ローカルエリアネットワーク通信、音声及びデータ用セルラー電話通信、全地球測位システム（ＧＰＳ）通信又はその他の衛星航法システム通信、Ｂｌｕｅｔｏｏｔｈ（登録商標）通信などに対応するアンテナ構造体を含むことができる。
【００２８】
電子機器１０に使用できる例示的な構成の概略図を図２に示す。図２に示すとおり、電子機器１０は記憶及び処理回路２８などの制御回路を含むことができる。記憶及び処理回路２８に、ハードディスクドライブ記憶装置、不揮発性メモリ（例えば、フラッシュメモリ、又はソリッドステートドライブを形成するために構成されたその他の電気的にプログラムできる読み出し専用メモリ）、揮発性メモリ（例えば、スタティック又はダイナミックランダムアクセスメモリ）などの記憶域を含めることもできる。記憶及び処理回路２８内の処理回路を使用して、機器１０の動作を制御することができる。処理回路は、１つ以上のマイクロプロセッサ、マイクロコントローラ、デジタル信号プロセッサ、ベースバンドプロセッサ、電力管理ユニット、音声コーデックチップ、特定用途向け集積回路などに基づくことができる。
【００２９】
記憶及び処理回路２８を使用して、機器１０上で、インターネット閲覧アプリケーション、ボイスオーバー・インターネット・プロトコル（ＶＯＩＰ）通話アプリケーション、電子メールアプリケーション、メディア再生アプリケーション、オペレーティングシステム機能などのソフトウェアを実行することができる。外部機器との相互作用に対応するように、通信プロトコルを実施するために記憶及び処理回路２８を使用してもよい。記憶及び処理回路２８を使用して実施できる通信プロトコルとしては、インターネットプロトコル、無線ローカルエリアネットワークプロトコル（例えば、ＩＥＥＥ  ８０２．１１プロトコル（ＷｉＦｉ（登録商標）と呼ぶこともある））、Ｂｌｕｅｔｏｏｔｈ（登録商標）プロトコルのようなその他の近距離無線通信リンク用のプロトコル、セルラー電話プロトコルなどを挙げることができる。
【００３０】
回路２８は、機器１０内のアンテナの使用を制御する制御アルゴリズムを実行するように構成することができる。例えば、回路２８は信号品質の監視動作、センサーの監視動作、及びその他のデータ収集動作を実行することができ、機器１０内でどの通信帯域を使用すべきかに関して収集されたデータ及び情報に応じて、データの受信及び処理のために機器１０内のどのアンテナ構造体が使用されるかを制御することができ、並びに／又は機器１０内の１つ以上のスイッチ、同調可能要素、若しくはその他の調節可能な回路を調節してアンテナの性能を調節することができる。一例として、回路２８は、着信高周波信号を受信するために２つ以上のアンテナのうちの何れが使用されるかを制御することができ、高周波信号を送信するために２つ以上のアンテナのうちの何れが使用されるかを制御することができ、機器１０内の２つ以上のアンテナを介した並行する着信データストリームをルーティングするプロセスを制御でき、所望の通信帯域をカバーするためにアンテナを同調することができ、その他のことができる。
【００３１】
回路２８は、これらの制御動作を実行するために、スイッチを開閉することができ、受信機及び送信機をオン／オフすることができ、インピーダンス整合回路を調節でき、高周波送受信機回路とアンテナ構造体との間に介在しているフロントエンドモジュール（ＦＥＭ）高周波回路（例えば、インピーダンス整合及び信号ルーティングに使用されるフィルタリング回路及びスイッチング回路）内のスイッチを設定することができ、アンテナの一部として形成されているか又はアンテナ若しくはアンテナに関連付けられた信号経路に結合されているスイッチ、同調可能回路、及びその他の調節可能な回路要素を調節でき、並びに機器１０の構成要素を別の方法で制御及び調節することができる。
【００３２】
機器１０にデータを供給することを可能とし、機器１０から外部機器にデータを供給することを可能とするために、入出力回路３０を使用することができる。入出力回路３０は、入出力装置３２を含むことができる。入出力装置３２としては、タッチスクリーン、ボタン、ジョイスティック、クリックホイール、スクロールホイール、タッチパッド、キーパッド、キーボード、マイクロホン、スピーカ、音源、振動器、カメラ、センサー、発光ダイオード及びその他の状態標識、データポートなどを挙げることができる。ユーザーは入出力装置３２を介してコマンドを供給することにより機器１０の動作を制御することができ、入出力装置３２の出力リソースを使用して機器１０から状態情報及びその他の出力を受け取ることができる。
【００３３】
無線通信回路３４は、１つ以上の集積回路から形成される高周波（ＲＦ）送受信機回路、電力増幅器回路、低雑音入力増幅器、パッシブＲＦコンポーネント、１つ以上のアンテナ、フィルタ、デュプレクサ及びその他ＲＦ無線信号を取り扱うための回路を含むことができる。無線信号はまた、光線を使用して（例えば、赤外線通信を使用して）送信することもできる。
【００３４】
無線通信回路３４は、（例えば１５７５ＭＨｚの衛星測位信号を受信するための）全地球測位システム（ＧＰＳ）受信機回路３５などの衛星航法システム受信機回路又はその他の衛星航法システムに関連付けられる衛星航法システム受信機回路を含むことができる。送受信機回路３６などの無線ローカルエリアネットワーク送受信機回路はＷｉＦｉ（登録商標）（ＩＥＥＥ  ８０２．１１）通信用の２．４ＧＨｚ及び５ＧＨｚ帯域を取り扱うことができ、２．４ＧＨｚのＢｌｕｅｔｏｏｔｈ（登録商標）通信帯域を取り扱うことができる。回路３４は、約７００ＭＨｚから約２７００ＭＨｚの周波数範囲の帯域又はより高い若しくはより低い周波数帯域のようなセルラー電話帯域での無線通信を取り扱うために、セルラー電話送受信機回路３８を使用することができる。所望であれば、無線通信回路３４は、その他の近距離及び遠距離無線リンク用の回路を含むことができる。例えば、無線通信回路３４は無線及びテレビ信号を受信するための無線回路、ページング回路などを含んでもよい。（例えば、１３．５６ＭＨｚにおける）近距離通信にも対応できる。ＷｉＦｉ（登録商標）リンク及びＢｌｕｅｔｏｏｔｈ（登録商標）リンク並びにその他の短距離無線リンクでは、無線信号は通常、数十フィート又は数百フィートにわたってデータを伝達するために使用される。セルラー電話リンク及びその他の遠距離リンクでは、無線信号は通常、数千フィート又は数マイルにわたってデータを伝達するために使用される。
【００３５】
無線通信回路３４は、１つ以上のアンテナ４０などのアンテナ構造体を有し得る。任意の好適なタイプのアンテナを使用してアンテナ構造体４０を形成することができる。例えば、アンテナ構造体４０としては、ループアンテナ構造体、パッチアンテナ構造体、逆Ｆアンテナ構造体、デュアルアーム式逆Ｆアンテナ構造体、クローズド及びオープンスロットアンテナ構造体、平板逆Ｆアンテナ構造体、ヘリカルアンテナ構造体、ストリップアンテナ、モノポール、ダイポール、これらの設計の混成などから形成される共振要素を有するアンテナを挙げることができる。異なる帯域及び帯域の組み合わせに異なるタイプのアンテナを使用することもできる。例えば、１つのタイプのアンテナをローカル無線リンクアンテナの形成に使用し、別のタイプのアンテナをリモート無線リンクの形成に使用してもよい。アンテナ構造体が望ましい通信帯域をカバーするように、１つ以上のアンテナ４０などの機器１０内のアンテナ構造体は１つ以上のアンテナフィード、固定及び／又は調節可能な構成要素及び任意選択の寄生アンテナ共振要素を設けることができる。
【００３６】
機器１０内（例えば、領域２０及び／又は領域２２において）で使用できるタイプの例示的アンテナ構造体を図３に示す。図３のアンテナ構造体４０はデュアルアーム式逆Ｆアンテナ共振要素又はＴアンテナ共振要素と呼ばれることもあるタイプのアンテナ共振要素を含む。図３に示すように、アンテナ構造体４０は、デュアルアーム式逆Ｆアンテナ共振要素５０及び付加的なアンテナ共振要素１３２などの導電性アンテナ構造体を有し得る。アンテナ共振要素１３２は近傍界結合した寄生アンテナ共振要素及び直接信号供給されるアンテナ共振要素として動作できる。図３のアンテナ構造体４０にはまた、アンテナ接地５２が含まれる。
【００３７】
アンテナ共振要素５０、アンテナ共振要素１３２及びアンテナ接地５２を形成する導電性構造体は、導電性筐体構造体の部分から、機器１０内の電気装置構成要素の部分から、プリント回路基板の配線から、電線及び金属箔などの導線から形成でき、又はその他の導電性構造体を使用して形成することができる。
【００３８】
アンテナ共振要素５０及びアンテナ接地５２は第１のアンテナ構造体４０Ａ（例えば、デュアルアーム式逆Ｆアンテナなどの第１のアンテナ）を形成できる。共振要素１３２及びアンテナ接地５２は第２のアンテナ構造体４０Ｂ（例えば、第２のアンテナ）を形成できる。所望であれば、共振要素１３２はまた、寄生アンテナ共振要素（例えば、直接信号供給されない要素）を形成できる。共振要素１３２は例えば、特定の周波数におけるアンテナ構造体４０の動作中にアンテナ４０Ａの応答に寄与する寄生アンテナ要素を形成できる。
【００３９】
図３に示すように、アンテナ構造体４０は、伝送線路構造体９２などの伝送線路構造体を使用して、送受信機回路、フィルタ、スイッチ、デュプレクサ、インピーダンス整合回路及びその他の回路などの無線回路９０に結合されてもよい。伝送線路構造体９２は伝送線路９２−１、伝送線路９２−２及び伝送線路９２−３などの伝送線路を含んでもよい。伝送線路９２−１は正の信号経路９２−１Ａ及び接地信号経路９２−１Ｂを有し得る。伝送線路９２−２は正の信号経路９２−２Ａ及び接地信号経路９２−２Ｂを有し得る。伝送線路９２−３は正の信号経路９２−３Ａ及び接地信号経路９２−３Ｂを有し得る。経路９２−１Ａ、９２−１Ｂ、９２−２Ａ、９２−２Ｂ、９２−３Ａ及び９２−３Ｂはリジッドプリント回路板上の金属配線から形成してよく、フレキシブルプリント回路上の金属配線から形成してよく、プラスチック、ガラス及びセラミック部材などの誘電体支持構造体上に形成してよく、ケーブルの一部として形成してよく、又はその他の導電性信号ラインから形成してよい。１つ以上のマイクロストリップ伝送線路、ストリップライン伝送線路、エッジ結合マイクロストリップ伝送線路、エッジ結合ストリップライン伝送線路、同軸ケーブル又はその他の好適な伝送線路構造体を使用して伝送線路構造体９２を形成してよい。インピーダンス整合回路、フィルタ、スイッチ、デュプレクサ、ダイプレクサ及びその他の回路などの回路は、所望であれば、構造体９２の伝送線路に介在されてもよい。
【００４０】
伝送線路構造体９２は（第１のアンテナポートを形成する）アンテナポート端子９４−１及び９６−１、（第２のアンテナポートを形成する）アンテナポート端子９４−２及び９６−２並びに（第３のアンテナポートを形成する）アンテナポート端子９４−３及び９６−３を使用して形成されるアンテナポートに結合されてもよい。アンテナポートはアンテナフィードと称されることもあり得る。例えば、端子９４−１は正のアンテナフィード端子であってもよく、端子９６−１は第１のアンテナフィード用の接地アンテナフィード端子であってもよく、端子９４−２は正のアンテナフィード端子であってもよく、端子９６−２は第２のアンテナフィード用の接地アンテナフィード端子であってもよく、端子９４−３は正のアンテナフィード端子であってもよく、端子９６−３は第３のアンテナフィード用の接地アンテナフィード端子であってもよい。
【００４１】
アンテナ構造体４０内の各アンテナポートは異なるタイプの無線信号を取り扱う際に使用してもよい。例えば、第１のポートは第１の通信帯域又は通信帯域の第１のセットにおけるアンテナ信号を送信する及び／又は受信するために使用してよく、第２のポートは第２の通信帯域又は通信帯域の第２のセットにおけるアンテナ信号を送信する及び／又は受信するために使用してよく、第３のポートは第３の通信帯域又は通信帯域の第３のセットにおけるアンテナ信号を送信する及び／又は受信するために使用してよい。
【００４２】
所望であれば、調節可能なコンデンサ、調節可能なインダクタ、フィルタ回路、スイッチ、インピーダンス整合回路、デュプレクサ及びその他の回路などの同調可能な構成要素は伝送線路経路９２内（即ち、無線回路９０とアンテナ構造体４０の各ポートとの間）に介在されてもよい。アンテナ構造体４０内の異なるポートは、それぞれ、動作周波数に応じて異なるインピーダンス及びアンテナの共振挙動を示し得る。無線回路９０は、したがって、異なるタイプの通信のために異なるポートを使用してもよい。一例として、ポートの１つを使用して１つ以上のセルラー通信帯域内の通信に関連した信号を送受信できる一方で、異なる１つのポートを使用して衛星航法システム信号の受信を取り扱ってよい。
【００４３】
アンテナ共振要素５０はアーム１００及び１０２などの共振要素アーム構造体をアンテナ接地５２へ結合する岐路９８などの短絡岐路を含んでもよい。誘電ギャップ１０１はアンテナ接地５２からアーム１００及び１０２を分離する。アンテナ接地５２は金属中央平面部材、プリント回路の配線、電気構成要素の金属部分又はその他の導電性接地構造体などの筐体構造体から形成してよい。空気、プラスチック及びその他の誘電体材料により、ギャップ１０１を形成してよい。短絡岐路９８は金属の一片、プリント回路若しくはプラスチックキャリアなどの誘電体支持構造体上の金属配線、又は共振要素アーム構造体（例えば、アーム１０２及び／又はアーム１００）とアンテナ接地５２の間のギャップ１０１を橋絡するその他の導電経路を使用して具体化してもよい。
【００４４】
端子９４−１及び９６−１から形成されたアンテナポートを、ギャップ１０１を橋絡する経路１０４−１などの経路内に結合してよい。端子９４−２及び９６−２から形成されたアンテナポートを、経路１０４−１及び短絡経路９８と平行してギャップ１０１を橋絡する、経路１０４−２などの経路内に結合してよい。
【００４５】
共振要素アーム１００及び１０２はデュアルアーム式逆Ｆアンテナ共振要素の各アームを形成できる。アーム１００及び１０２は１つ以上の屈曲部を有し得る。アーム１００及び１０２が接地５２に平行に延びる図３の例示的構成は単なる例示に過ぎない。
【００４６】
アーム１００はより低い周波数を取り扱う（より長い）低帯域アームであってもよい一方で、アーム１０２はより高い周波数を取り扱う（より短い）高帯域アームであってもよい。低帯域アーム１００はアンテナ４０が７００ＭＨｚから９６０ＭＨｚの周波数又はその他の好適な周波数などの低帯域（ＬＢ）周波数におけるアンテナ共振を示すことを可能にする。高帯域アーム１０２はアンテナ４０が９６０ＭＨｚから２７００ＭＨｚの間の１つ以上の範囲の周波数又はその他の好適な周波数における共振などの高帯域（ＨＢ）の周波数における１つ以上のアンテナ共振を示すことを可能にする。アンテナ共振要素１０１はまた、１５７５ＭＨｚ又は全地球測位システム通信などの衛星航法システム通信に対応するその他の好適な周波数のアンテナ共振を示し得る。
【００４７】
アンテナ共振要素１３２は付加的な周波数（例えば、ＩＥＥＥ  ８０２．１１無線ローカルエリアネットワーク帯域などの２．４ＧＨｚの通信帯域に関連した周波数、ＩＥＥＥ  ８０２．１１無線ローカルエリアネットワーク帯域などの５ＧＨｚの通信帯域及び／又は２．３から２．７ＧＨｚの周波数などの２．４ＧＨｚに近いセルラー帯域における周波数などのセルラー周波数）の通信に対応する際に使用してもよい。
【００４８】
アンテナ共振要素１３２は例えば、アンテナ共振要素１３２がスロットベースの寄生アンテナ共振要素及びスロットアンテナの両方として機能することを可能にするスロットアンテナ共振要素から形成してよい。アンテナ共振要素１３２は例えば、アンテナ構造体４０が２．４ＧＨｚのＩＥＥＥ  ８０２．１１無線ローカルエリアネットワーク帯域、及びＬｏｎｇ  Ｔｅｒｍ  Ｅｖｏｌｕｔｉｏｎ帯域３８及び４０などの近傍のセルラー帯域に関連した信号を取り扱うことが可能であることを保証する上で役立つために、２．４ＧＨｚに近い周波数でスロットベースの寄生アンテナ共振要素として動作でき、（例えば、５ＧＨｚのＩＥＥＥ  ８０２．１１無線ローカルエリアネットワーク帯域におけるトラフィックを取り扱うために）５ＧＨｚの周波数で直接信号供給されるスロットアンテナとしてアンテナ共振要素５０から独立して動作できる。
【００４９】
寄生共振要素の動作中、アンテナ共振要素１３２の構造体は、近傍界電磁結合によりアンテナ共振要素５０に結合され、アンテナ構造体４０が望ましい周波数応答で動作するように（例えば、一例として約２．３から２．７ＧＨｚの範囲の信号に対応するために）、アンテナ４０の周波数応答を修正するために使用される。アンテナ共振要素１３２が寄生アンテナ共振要素として動作する周波数（例えば、２．３から２．７ＧＨｚ）では、アンテナ共振要素１３２は、フィード端子９４−３及び９６−３から形成されたアンテナフィードにより直接信号供給されるのではなく、第１又は第２アンテナポートが無線信号を送信及び／又は受信するために無線回路９０により使用されている間、むしろアンテナ共振要素５０に近傍界結合されている。
【００５０】
５ＧＨｚのＩＥＥＥ  ８０２．１１無線ローカルエリアネットワーク帯域などのその他の帯域における信号を取り扱うために、アンテナ共振要素１３４は、アンテナフィード端子９４−３及び９６−３から形成されたアンテナフィードを使用して直接信号供給されてもよい。アンテナ共振要素１３４は、プレス加工された金属構造体、金属箔構造体、フレキシブルプリント回路（例えば、ポリイミド層又はその他のポリマー材料のシートなどのフレキシブル基板から形成されたプリント回路）上の金属配線、リジッドプリント回路板構造体（例えば、ガラス繊維充填エポキシの層から形成された基板）上の金属配線、プラスチックキャリア上の金属配線、ガラス又はセラミック支持構造体上のパターン形成した金属、ワイヤ、電子機器の筐体構造体、機器１０内の電気構成要素の金属部分又はその他の導電性構造体などの、周囲導電性構造体の配置によって規定される形状を有するスロットを含んでもよい。アンテナ共振要素１３４内のスロットは（一例として）１つの開放端及び１つの閉鎖端を有するオープンスロット構造であってもよい。所望であれば、２つの閉鎖端を備えるスロット構造体を使用してもよい。
【００５１】
アンテナ共振要素１３４のスロットを、アンテナ共振要素５０及び／又はアンテナ接地５２内の対向する金属構造体の間に形成してよい。プラスチック、空気又はその他の誘電体がスロットの内部を充填してもよい。スロットは、通常、細長い（即ち、それらの長さは実質的にそれらの幅より長い）。金属がスロットの周辺を取り巻く。オープンスロットにおいて、スロットの端の１つは周囲の誘電体に対して開いている。
【００５２】
同調能力を有するアンテナ４０を提供するために、アンテナ４０は調節可能な回路を含んでもよい。調節可能な回路は、アンテナ共振要素５０上の異なる場所の間で結合してよく、共振要素１３２上の異なる場所の間で結合してよく、ギャップ１０１を橋絡する経路１０４−２及び１０４−２などの経路の一部を形成してよく、伝送線路構造体９２の一部（例えば、経路９２−１、経路９２−２及び／又は経路９２−３において１つ以上の導電線内に介在する回路）を形成してもよく、又はアンテナ構造体４０、伝送線路経路９２及び無線回路９０内のどこかに合体されてよい。
【００５３】
制御回路２８（図２）からの制御信号を使用して調節可能な回路を同調してもよい。制御回路２８からの制御信号は、制御回路２８と調節可能な回路の間で結合された制御信号経路を使用して例えば、調節可能なコンデンサ、調節可能なインダクタ又はその他の調節可能な回路に提供され得る。制御回路２８は、調節可能なコンデンサによって示されるキャパシタンスを調節するための制御信号を提供することができ、調節可能なインダクタによって示されるインダクタンスを調節するための制御信号を提供することができ、固定及び可変コンデンサ、固定及び可変インダクタ、使用される及び使用されないようにコンデンサ及びインダクタなどの電気構成要素を切り替えるためのスイッチング回路、抵抗並びにその他の調節可能な回路などの１つ以上のコンポーネントを含む回路のインピーダンスを調節する制御信号を提供することができ、アンテナ構造体４０の周波数応答を同調するためのその他の調節可能な回路へ制御信号を提供することができる。一例として、アンテナ構造体４０は第１及び第２の調節可能なコンデンサを設けることができる。制御回路２８からの制御信号を使用して各調節可能なコンデンサのための望ましいキャパシタンス値を選択することにより、対象とする動作周波数をカバーするためにアンテナ構造体４０を同調できる。
【００５４】
所望であれば、アンテナ構造体４０の調節可能な回路は、アンテナ共振要素５０内のアーム１０２及び１００などのアンテナ共振要素構造体５０に結合される１つ以上の調節可能な回路、スロットベースの共振要素（例えば、共振要素１３２）内のスロットを越えて結合される１つ以上の調節可能な回路及び／又はアンテナ構造体４０用のポートの１つ以上に関連した信号ライン（例えば、経路１０４−１、１０４−２、経路９２など）内に介在する１つ以上の調節可能な回路を含んでもよい。
【００５５】
図４はアンテナ構造体４０を同調する際に使用してもよいタイプの例示的な調節可能なコンデンサ回路の概略図である。図４の調節可能なコンデンサ１０６は、入力経路１０８に提供される制御信号に応じて、端子１１４と１１５の間の調節可能なキャパシタンスの量を生成する。スイッチング回路１１８はそれぞれコンデンサＣ１及びＣ２に結合された２つの端子を有し、調節可能なコンデンサ１０６の端子１１５に結合された別の端子を有する。コンデンサＣ１は端子１１４とスイッチング回路１１８の端子の１つの間に結合される。コンデンサＣ２は端子１１４とスイッチング回路１１８の他方の端子の間でコンデンサＣ１に並列に結合される。制御入力１０８に供給される制御信号の値を制御することにより、スイッチング回路１１８は端子１１４と１１５の間の望ましいキャパシタンス値を生成するように構成されてもよい。例えば、スイッチング回路１１８はコンデンサＣ１を使用されるように切り替えるよう構成されてもよく、又はコンデンサＣ２を使用されるように切り替えるよう構成されてもよい。
【００５６】
所望であれば、スイッチング回路１１８は（例えば、端子１１４と１１５の間の経路が開回路となり、両方のコンデンサが使用されないように切り換えられるように、開回路を形成することにより）選択的にコンデンサＣ１及びＣ２を分離する１つ以上のスイッチ又はその他のスイッチングリソースを含んでもよい。スイッチング回路１１８はまた、（所望であれば）コンデンサＣ１及びＣ２の両方を使用されるように同時に切り替えることができるように、構成されてもよい。所望であれば、より少ないスイッチング状態又はより多いスイッチング状態を示すスイッチング回路などのその他のタイプのスイッチング回路１１８を使用してもよい。コンデンサＣ１及びＣ２は固定コンデンサであってもよい。調節可能なコンデンサ１０６などの調節可能なコンデンサはまた、コンデンサＣ１及び／又はＣ２用の可変コンデンサ機器（バラクタと称されることもある）を使用して具体化してもよい。コンデンサ１０６などの調節可能なコンデンサは２つのコンデンサ、３つのコンデンサ、４つのコンデンサ又はその他の好適な数のコンデンサを含んでもよい。図４の構成は、単なる例示である。
【００５７】
機器１０の動作中、図２の記憶及び処理回路２８などの制御回路は、制御信号を１つ以上の調節可能なコンデンサ１０６などの調節可能な構成要素に供給することによって、アンテナの調節を行うことができる。所望であれば、制御回路２８はまた調節可能なインダクタ又はその他の調節可能な回路を使用してアンテナの同調調節を行うことができる。どの通信帯域がアクティブかを識別する情報に応じて、信号の品質又はその他の性能指標に関連したフィードバックに応じて、センサー情報に応じて又はその他の情報に基づいて、アンテナ周波数応答の調節をリアルタイムで行ってよい。
【００５８】
図５は例示的な調節可能なアンテナ構造体４０を有する電子機器の図である。図５の例示的構成において、電子機器１０は電子機器１０内の導電性構造体を使用して具体化される調節可能なアンテナ構造体４０を有する。図５に示すように、アンテナ構造体４０は導電性周囲筐体部材１６などの電子機器の導電性周囲筐体構造体を含み、アンテナ接地５２を含む。短絡岐路９８は誘電ギャップ１０１を橋絡してよい。導電性周囲筐体部材１６は、デュアルアーム式逆Ｆアンテナ共振要素の低帯域（ＬＢ）及び高帯域（ＨＢ）共振要素アーム部分を形成する、（短絡経路９８の左右にある）アームを有し得る。導電性周囲部材１６及びアンテナ接地５２により形成された逆Ｆアンテナ共振要素はデュアルアーム式逆Ｆアンテナ４０Ａを形成できる。アンテナ４０Ａは（導電性周囲筐体部材１６に結合された信号ライン９２−１Ａを有する）ポート１Ａ及び（導電性周囲筐体部材１６に結合された信号ライン９２−２Ａを有する）ポート１Ｂなどの複数のポートを有し得る。
【００５９】
図５に示すように、アンテナ構造体４０にはまたスロットベースのアンテナ共振要素１３２（即ち、スロット）が含まれる。スロット１３２は機器１０内の対向する導電性構造体の間の開口部（例えば、空気、プラスチック及びその他の誘電体材料から形成された誘電体開口部）から形成されている。スロット１３２は自身の幅Ｗより長い長さＬを有する細長い形状を有する。スロット１３２を直線状開口部又は１つ以上の屈曲部を有する開口部から形成してよい。図５の例では、スロット１３２は３つのセグメント（セグメント１３２Ａ、セグメント１３２Ｂ及びセグメント１３２Ｃ）を有する。セグメント１３２Ｃは開放端１６０を有する。開放端１６０は誘電ギャップ１０１に対して開いている。スロット部分１３２Ｃの外縁部は導電性周囲筐体部材１６の一部によって規定される。スロット部分１３２Ｃの内縁部はアンテナ接地５２の対向する平行部によって規定される。セグメント１３２Ａは閉鎖端１５８を有する。閉鎖端１５８はアンテナ接地５２の部分によって形成される。セグメント１３２Ａの両側はアンテナ接地５２の対向部分から形成される。中間セグメント１３２Ｂはスロット部分１３２Ａ及び１３２Ｃに垂直に延び、スロット部分１３２Ａ及び１３２Ｃを結合してスロット１３２を形成する。スロットセグメント１３２Ｂの外縁部は導電性周囲筐体部材１６の一部によって形成される。スロットセグメント１３２Ｂの対向する内縁部はアンテナ接地５２の一部によって形成される。
【００６０】
スロット１３２は２つのタイプのアンテナ要素を形成できる。即ち、（一例として）５ＧＨｚ帯域における通信を取り扱うためのスロットアンテナ、及びアンテナ４０Ａが（一例として）２．３から２．７ＧＨｚの対象とする望ましい周波数をカバーできることを保証する上で役立つスロットベースの寄生アンテナ共振要素１３２である。
【００６１】
詳しくは、５ＧＨｚのＩＥＥＥ  ８０２．１１無線ローカルエリアネットワーク帯域（帯域ＴＢと称されることもある）などの通信帯域において、スロット１３２は直接信号供給されるスロットアンテナを形成でき、そのスロットアンテナはアンテナポート２において信号供給される。スロット１３２用のアンテナフィードはスロット１３２を橋絡する端子によって形成される。図５に示すように、伝送線路９２−３はポート２における正のアンテナフィード端子９４−３に結合される正の信号ライン９２−３Ａを有してよく、アンテナ接地端子９６−３に結合される接地信号ライン９２−３Ｂを有してよい。伝送線路９２−３はスロットアンテナ１３２のポート２を送受信機１１６の送受信機ポートＴＢに結合できる。送受信機ポートＴＢは、スロット１３２から形成された５ＧＨｚのスロットアンテナを使用して５ＧＨｚの無線ローカルエリアネットワーク信号を送受信するために使用してもよい。
【００６２】
２．３から２．７ＧＨｚの周波数（帯域ＵＢと称されることもある）で、スロットベースの寄生アンテナ共振要素１３２はアンテナ４０Ａに近傍界結合してもよく、ポート１Ａを使用してアンテナ４０Ａにより信号が送受信されることを可能にするアンテナ応答を生じさせることができる。調節可能なコンデンサ１０６Ｂが、スロットベースの寄生アンテナ共振要素１３２に関連した共振が２．３から２．７ＧＨｚの帯域内に収まることを保証するために、スロット１３２を橋絡してよい。一例として、コンデンサ１０６Ｂは、約０．２ｐＦの固定コンデンサＣ１及び約０．４ｐＦの固定コンデンサＣ２を用いて提供することができ、これによって、０．６ｐＦのキャパシタンス（Ｃ１及びＣ２の両方が並行して使用されるように切り替えられる場合）、０．２ｐＦ（Ｃ１が使用されるように切り替えられる場合）、０．４ｐＦ（コンデンサＣ２が使用されるように切り替えられる場合）及び０（コンデンサＣ１及びＣ２の両方が使用されないように切り替えられる場合）などのキャパシタンスの範囲にわたって調節可能なコンデンサ１０６Ｂのキャパシタンスを調節することを可能にする。調節可能なコンデンサ１０６Ｂの存在下で、スロットベースの寄生アンテナ共振要素１３２の共振周波数は約２．４ＧＨｚに低減され得る。調節可能なコンデンサ１０６Ｂを使用して生じたキャパシタンス調節はスロットベースの寄生アンテナ共振要素１３２により生じた共振が対象とする周波数帯域全体（例えば、この例では２．３ＧＨｚから２．７ＧＨｚの全ての周波数）をカバーすることを保証する上で役立つ。
【００６３】
図３に関連して記載されているように、アンテナ構造体４０は３つのアンテナポートを有し得る。ポート１Ａは、部材１６に沿った第１の場所（例えば、端子９４−１において部材１６に結合される経路９２−１Ａを参照すること）でデュアルアーム式アンテナ共振要素５０のアンテナ共振要素アームに結合されてもよい。ポート１Ｂは、第１の場所と異なる第２の場所（例えば、端子９４−２において部材１６に結合される経路９２−２Ａを参照すること）で、デュアルアーム式アンテナ共振要素５０のアンテナ共振要素アーム構造体に結合されてもよい。
【００６４】
調節可能なコンデンサ１０６Ａ（例えば、図４に示すタイプのコンデンサ）は経路９２−１Ａ内に介在されてもよく、アンテナ構造体４０を同調する際（例えば、デュアルアーム式逆Ｆアンテナ４０Ａを同調するため）に使用するためにポート１Ａに結合されてよい。アンテナ４０Ａのポート１Ｂを使用して全地球測位システム（ＧＰＳ）信号を受信できる。伝送線路経路９２−２をポート１Ｂと衛星航法システム受信機１１４（例えば、図２の衛星航法システム受信機３５などの全地球測位システム受信機）の間で結合してよい。バンドパスフィルタ１１０及び増幅器１１２などの回路は、所望であれば、伝送線路経路９２−２内に介在してもよい。動作中に、衛星航法システム信号は、フィルタ１１０及び増幅器１１２を介して、アンテナ４０Ａから受信機１１４へ通過してもよい。
【００６５】
アンテナ共振要素５０は約７００ＭＨｚから９６０ＭＨｚに及ぶ低帯域（ＬＢ）の通信帯域における周波数及び、所望であれば、約１．７から２．２ＧＨｚに及ぶ高帯域（ＨＢ）の通信帯域における周波数などの周波数を（例として）カバーできる。７００ＭＨｚと９６０ＭＨｚの間の全ての望ましい周波数をカバーすることができるように、調節可能なコンデンサ１０６Ａは帯域ＬＢにおける低帯域性能を同調する際に使用してもよい。スロットアンテナ共振要素１３２は、通信帯域ＵＢにおける２．３ＧＨｚから２．７ＧＨｚの全ての周波数をカバーするために、調節可能なコンデンサ１０６Ｂを使用して同調可能なアンテナ４０Ａ（ポート１Ａ）のアンテナ共振を生じさせる寄生アンテナ共振要素として機能してもよい。
【００６６】
要素１３２がアンテナとして動作するように、スロットアンテナ共振要素１３２（アンテナ４０Ｂ）に信号供給するためにポート２は経路９２−３を使用してよい。図５の例示的構成では、ポート２において信号供給される場合、アンテナ共振要素１３２はスロットアンテナであり、ＩＥＥＥ  ８０２．１１無線ローカルエリアネットワーク帯域などの５ＧＨｚの通信帯域（帯域ＴＢと称されることもある）を取り扱うように構成される。
【００６７】
無線回路９０は衛星航法システム受信機１１４及び高周波送受信機回路１１６及び１１８などの高周波送受信機回路を含んでもよい。受信機１１４は全地球測位システム受信機又はその他の衛星航法システム受信機（例えば、図２の受信機３５）であってもよい。
【００６８】
送受信機１１６は２．４ＧＨｚ帯域及び５ＧＨｚ帯などの帯域で動作する図２の高周波送受信機３６などの無線ローカルエリアネットワーク送受信機であってもよい。送受信機１１６は例えば、ＩＥＥＥ  ８０２．１１高周波送受信機（ＷｉＦｉ（登録商標）送受信機と称されることもある）であってもよい。送受信機１１６は、スロット１３２を使用して（即ち、スロット１３２がスロットアンテナを形成するモードにおいてスロット１３２を使用して）５ＧＨｚ通信を取り扱うポートＴＢなどのポートを有し得る。送受信機１１６はまた、２．４ＧＨｚ通信を取り扱うポートＵＢなどのポートを有してよい。ポートＵＢはデュプレクサ１５０のポート１５２に結合されてもよい。
【００６９】
デュプレクサ１５０は送受信機１１８に結合されるポート１５４などのポートを有し得る。送受信機１１８は１つ以上のセルラー帯域内の音声及びデータトラフィックを取り扱うように構成される図２のセルラー送受信機３８などのセルラー送受信機であってもよい。カバーしてもよいセルラー帯域の例は７００ＭＨｚから９６０ＭＨｚの範囲である帯域（例えば、低帯域ＬＢ）、約１．７から２．２ＧＨｚの範囲である帯域（例えば、高帯域ＨＢ）及びＬｏｎｇ  Ｔｅｒｍ  Ｅｖｏｌｕｔｉｏｎ（ＬＴＥ）帯域３８及び４０を含む。
【００７０】
Ｌｏｎｇ  Ｔｅｒｍ  Ｅｖｏｌｕｔｉｏｎ帯域３８は約２．６ＧＨｚの周波数に関連する。Ｌｏｎｇ  Ｔｅｒｍ  Ｅｖｏｌｕｔｉｏｎ帯域４０は約２．３から２．４ＧＨｚの周波数に関連する。ポート１５５及び送受信機１１８を使用して帯域ＬＢ（７００ＭＨｚから９６０ＭＨｚ）及び、所望であれば、帯域ＨＢ（１．７から２．２ＧＨｚ）におけるセルラー信号を取り扱ってもよい。ポート１５５はまた、ＬＴＥ帯域３８及びＬＴＥ帯域４０における通信を取り扱うために使用してよい。図５に示すように、送受信機１１８のポート１５５はデュプレクサ回路１５０のポート１５４に結合されてもよい。デュプレクサ回路１５０は１つ以上のデュプレクサを含んでもよい。
【００７１】
デュプレクサ回路１５０は、周波数分割多重化を使用して、ポート１５２及び１５４と共有デュプレクサポート１５６の間の信号をルーティングする。共有ポート１５６は伝送線路経路９２−１に結合される。この構成により、送受信機１１６の送受信機ポートＵＢ及びデュプレクサ１５０のポート１５２に関連した２．４ＧＨｚのＷｉＦｉ（登録商標）信号を経路９２−１へ及び経路９２−１からルーティングしてよく、ポート１５４及び送受信機１１８のポート１５５に関連したＬＴＥ帯域３８／４０の信号及び帯域ＬＢ及びＨＢにおけるセルラー電話信号を経路９２−１へ及び経路９２−１からルーティングしてよい。帯域ＵＢに関連したトラフィックを取り扱うために（即ち、送受信機１１６のポートＵＢからの２．４ＧＨｚのトラフィックを取り扱うため並びに送受信機１１８からの２．３から２．７ＧＨｚの範囲におけるＬＴＥ帯域３８／４０のトラフィック及びその他のセルラートラフィックを取り扱うために）、機器１０の動作中、調節可能なコンデンサ１０６Ａはアンテナ共振要素５０及びアンテナ接地５２から形成されたアンテナを同調するために必要に応じて調節可能である。
【００７２】
図６は、図５のアンテナ構造体４０などのアンテナ構造体を有する電子機器に関する、アンテナ性能（定在波比ＳＷＲ）を動作周波数ｆの関数としてプロットしたグラフである。図６に示すように、アンテナ構造体４０はポート１Ａを使用して帯域ＬＢにおける共振を示すことができる。調節可能なコンデンサ１０６ＡはＬＢ共振の位置を調節するために調節でき、それによって全ての対象とする周波数（例えば、一例として、約０．７ＧＨｚから０．９６ＧＨｚの範囲の全ての周波数）をカバーする。帯域ＨＢ（例えば、１．７から２．２ＧＨｚのセルラー帯域）をポート１Ａを使用して所望によりカバーしてよい。寄生アンテナ共振要素１３２として機能するスロットアンテナ共振要素１３２の存在ゆえに、ポート１Ａを使用する場合、アンテナ構造体４０は帯域ＵＢにおける共振を示すことができる。ポート１Ａを使用する場合、スロットアンテナ共振要素１３２に関連した共振は同調可能なコンデンサ１０６Ｂを使用して帯域ＵＢにわたって同調してもよい。ポート１Ｂを使用する場合、アンテナ構造体４０は全地球測位システム信号を取り扱うための１．５７５ＧＨｚの共振などの衛星航法システム周波数における共振を示すことができる。帯域ＴＢ（例えば、５ＧＨｚ）におけるアンテナ応答はポート２をスロットアンテナ共振要素１３２用のアンテナフィードとして使用することに関連してよい。通信帯域ＴＢにおける周波数でスロット１３２は送受信機１１６のポートＴＢ用のトラフィックを取り扱うためのスロットアンテナとして動作する。
【００７３】
一実施形態によれば、アンテナ接地と、アンテナ接地とともに第１及び第２のポートを有する第１のアンテナを形成するアンテナ共振要素と、第３のアンテナポートを有するスロットアンテナ共振要素とを含む電子機器のアンテナ構造体が提供され、スロットアンテナ共振要素は第３のアンテナポートを介して信号を取り扱う第２のアンテナを形成し、スロットアンテナ共振要素は第１のアンテナの寄生アンテナ共振要素を形成する。
【００７４】
別の実施形態によれば、スロットアンテナ共振要素はアンテナ共振要素の部分とアンテナ接地との間で形成されるスロットを含む。
【００７５】
別の実施形態によれば、アンテナ共振要素は電子機器の導電性周囲筐体構造体を含む。
【００７６】
別の実施形態によれば、第１のアンテナはデュアルアーム式逆Ｆアンテナを含む。
【００７７】
別の実施形態によれば、スロットアンテナは第３のアンテナポートを使用して５ＧＨｚの通信帯域における無線ローカルエリアネットワークを送受信するように構成される。
【００７８】
別の実施形態によれば、スロットアンテナ共振要素は、２．４ＧＨｚにおいて第１のアンテナの動作中に、第１のアンテナのアンテナ共振要素に近傍界結合されている。
【００７９】
別の実施形態によれば、電子機器のアンテナ構造体は第２のアンテナポートに結合されたバンドパスフィルタを含む。
【００８０】
別の実施形態によれば、電子機器のアンテナ構造体は第１のアンテナポートに結合された調節可能なコンデンサを含む。
【００８１】
別の実施形態によれば、電子機器のアンテナ構造体はスロットを橋絡する調節可能なコンデンサを含む。
【００８２】
別の実施形態によれば、調節可能なコンデンサは第１のアンテナのアンテナ共振を同調する調節可能なコンデンサ値を生成するように構成される。
【００８３】
別の実施形態によれば、調節可能なコンデンサはスイッチング回路及び複数の固定コンデンサを含む。
【００８４】
一実施形態によれば、無線ローカルエリアネットワーク信号、衛星航法システム信号及びセルラー電話信号を取り扱うように構成された高周波送受信機回路と、第１、第２及び第３アンテナポートを有するアンテナ構造体とを含む装置が提供され、アンテナ構造体は、第１及び第２アンテナポートが結合された逆Ｆアンテナ共振要素、及び第３のアンテナポートが結合されたスロットアンテナ共振要素、高周波送受信機回路と第１のアンテナポートとの間に結合された第１の調節可能なコンデンサ、並びにスロットアンテナ共振要素を橋絡する第２の調節可能なコンデンサを含む。
【００８５】
別の実施形態によれば、アンテナ構造体は、第１のアンテナポートを使用して少なくとも第１及び第２の通信帯域において高周波信号を取り扱うように構成され、第１の調節可能なコンデンサは第１の通信帯域におけるアンテナ共振を同調するように構成され、第２の調節可能なコンデンサは第２の通信帯域における第２のアンテナ共振を同調するように構成される。
【００８６】
別の実施形態によれば、スロットアンテナ共振要素は第３の通信帯域における高周波信号用のスロットアンテナを形成する。
【００８７】
別の実施形態によれば、第３の通信帯域は５ＧＨｚの無線ローカルエリアネットワーク通信帯域を含み、高周波送受信機回路は第３のアンテナポート及びスロットアンテナを使用して５ＧＨｚの無線ローカルエリアネットワーク通信帯域における信号を送受信するように構成される無線ローカルエリアネットワーク送受信機を含む。
【００８８】
別の実施形態によれば、高周波送受信機回路は第２のアンテナポートに結合された衛星航法システム受信機を含む。
【００８９】
別の実施形態によれば、高周波送受信機回路は第１及び第２の通信帯域において信号を送受信するための第１のアンテナポートに結合されたセルラー電話送受信機を含む。
【００９０】
一実施形態によれば、アンテナ構造体と無線回路とを含む電子機器が提供される。アンテナ構造体は、アンテナ接地と、アンテナ接地とともに逆Ｆアンテナを形成する逆Ｆアンテナ共振要素と、スロットアンテナとして及び逆Ｆアンテナの寄生アンテナ共振要素として機能するスロットアンテナ共振要素とを含み、無線回路は、逆Ｆアンテナを使用して第１の通信帯域における信号を取り扱い、スロットアンテナを使用して第２の通信帯域における信号を取り扱う。
【００９１】
別の実施形態によれば、無線回路は、無線ローカルエリアネットワーク送受信機と無線ローカルエリアネットワーク送受信機とスロットアンテナ共振要素との間に結合された伝送線路構造体とを含み、スロットアンテナが第２の通信帯域における無線ローカルエリアネットワーク信号を取り扱うように、無線ローカルエリアネットワーク送受信機はスロットアンテナ共振要素に直接信号供給する。
【００９２】
別の実施形態によれば、無線回路は、セルラー電話送受信機及びデュプレクサ回路を含み、デュプレクサ回路は無線ローカルエリアネットワーク送受信機に結合される第１のポート及びセルラー電話送受信機に結合される第２のポートを有する。
【００９３】
別の実施形態によれば、デュプレクサ回路は逆Ｆアンテナに結合された共有ポートを有する。
【００９４】
別の実施形態によれば、逆Ｆアンテナは第１及び第２のアンテナポートを有し、デュプレクサ回路の共有ポートは第１のアンテナポートに結合される。
【００９５】
別の実施形態によれば、電子機器はデュプレクサ回路の共有ポートと第１のアンテナポートとの間に結合された調節可能な回路を含み、調節可能な回路は逆Ｆアンテナを同調するように構成される。
【００９６】
別の実施形態によれば、調節可能な回路は、調節可能なコンデンサを含む。
【００９７】
別の実施形態によれば、電子機器はスロット共振要素を橋絡する調節可能な回路を含む。
【００９８】
別の実施形態によれば、調節可能な回路は、調節可能なコンデンサを含む。
【００９９】
別の実施形態によれば、電子機器は導電性周囲筐体構造体を有する筐体を含み、逆Ｆアンテナ共振要素は導電性周囲筐体構造体の一部を含む。
【０１００】
別の実施形態によれば、スロットアンテナ共振要素は導電性周囲筐体構造体の部分及びアンテナ接地から形成された縁部を有するスロットを含み、アンテナ構造体はスロットを橋絡する調節可能なコンデンサを更に含み、調節可能なコンデンサは逆Ｆアンテナを同調するように構成される。
【０１０１】
別の実施形態によれば、逆Ｆアンテナは少なくとも１つのアンテナポートを含み、電子機器は逆Ｆアンテナを同調するためにアンテナポートに結合された付加的な調節可能なコンデンサを更に含み、調節可能なコンデンサは第１の通信帯域において逆Ｆアンテナを同調するように構成され、付加的な調節可能なコンデンサは第３の通信帯域において逆Ｆアンテナを同調するように構成される。
【０１０２】
別の実施形態によれば、第１の通信帯域は７６０ＭＨｚから９６０ＭＨｚの通信帯域を含み、第２の通信帯域は５ＧＨｚの無線ローカルエリアネットワーク通信帯域を含み、第３の通信帯域は２．３から２．７ＧＨｚの通信帯域を含み、電子機器は調節可能なコンデンサ及び付加的な調節可能なコンデンサを制御するように構成される制御回路を含む。
【０１０３】
以上のものは、本考案の原理の単なる例示であり、当業者は、本考案の範囲及び趣旨から逸脱することなく様々な修正を行うことができる。
【図１】
0003205417.tif 000003
【図２】
0003205417.tif 000004
【図３】
0003205417.tif 000005
【図４】
0003205417.tif 000006
【図５】
0003205417.tif 000007
【図６】
0003205417.tif 000008
【手続補正書】
【提出日】平成28年3月22日(2016.3.22)
【手続補正１】
【補正対象書類名】実用新案登録請求の範囲
【補正対象項目名】全文
【補正方法】変更
【補正の内容】
【実用新案登録請求の範囲】
【請求項１】
アンテナ接地と、
前記アンテナ接地とともに第１のアンテナを形成するアンテナ共振要素であって、前記第１のアンテナは第１及び第２のアンテナポートを有する、アンテナ共振要素と、
第３のアンテナポートを有するスロットアンテナ共振要素であって、前記スロットアンテナ共振要素は前記第３のアンテナポートを介して信号を取り扱う第２のアンテナを形成し、前記スロットアンテナ共振要素は前記第１のアンテナの寄生アンテナ共振要素を形成する、スロットアンテナ共振要素と
を備えることを特徴とする、
電子機器のアンテナ構造体。
【請求項２】
前記スロットアンテナ共振要素は、前記アンテナ共振要素の部分と前記アンテナ接地との間に形成されるスロットを備えることを特徴とする、請求項１に記載の電子機器のアンテナ構造体。
【請求項３】
前記アンテナ共振要素は電子機器の導電性周囲筐体構造体を備えることを特徴とする、請求項２に記載の電子機器のアンテナ構造体。
【請求項４】
前記第１のアンテナはデュアルアーム式逆Ｆアンテナを備えることを特徴とする、請求項３に記載の電子機器のアンテナ構造体。
【請求項５】
スロットアンテナは、前記第３のアンテナポートを使用して、５ＧＨｚの通信帯域の無線ローカルエリアネットワークを送受信するように構成されることを特徴とする、請求項４に記載の電子機器のアンテナ構造体。
【請求項６】
前記スロットアンテナ共振要素は、２．４ＧＨｚにおいて前記第１のアンテナの動作中に、前記第１のアンテナの前記アンテナ共振要素に近傍界結合されていることを特徴とする、請求項４に記載の電子機器のアンテナ構造体。
【請求項７】
前記第２のアンテナポートに結合されたバンドパスフィルタを更に備えることを特徴とする、請求項１に記載の電子機器のアンテナ構造体。
【請求項８】
前記第１のアンテナポートに結合された調節可能なコンデンサを更に備えることを特徴とする、請求項１に記載の電子機器のアンテナ構造体。
【請求項９】
前記スロットを橋絡する調節可能なコンデンサを更に備え、前記調節可能なコンデンサは前記第１のアンテナのアンテナ共振を同調する調節可能なコンデンサ値を生成するように構成され、前記調節可能なコンデンサはスイッチング回路及び複数の固定コンデンサを備えることを特徴とする、請求項１に記載の電子機器のアンテナ構造体。
【請求項１０】
無線ローカルエリアネットワーク信号、衛星航法システム信号及びセルラー電話信号を取り扱うように構成された高周波送受信機回路と、
第１、第２及び第３のアンテナポートを有するアンテナ構造体であって、前記アンテナ構造体は前記第１及び第２アンテナポートが結合された逆Ｆアンテナ共振要素及び前記第３のアンテナポートが結合されたスロットアンテナ共振要素を含む、アンテナ構造体と、  前記高周波送受信機回路と前記第１のアンテナポートとの間に結合された第１の調節可能なコンデンサと、
前記スロットアンテナ共振要素を橋絡する第２の調節可能なコンデンサと
を備えることを特徴とする、装置。
【請求項１１】
前記アンテナ構造体は前記第１のアンテナポートを使用して少なくとも第１及び第２の通信帯域において高周波信号を取り扱うように構成され、前記第１の調節可能なコンデンサは前記第１の通信帯域におけるアンテナ共振を同調するように構成され、前記第２の調節可能なコンデンサは前記第２の通信帯域における第２のアンテナ共振を同調するように構成され、前記スロットアンテナ共振要素は第３の通信帯域における高周波信号用のスロットアンテナを形成することを特徴とする、請求項１０に記載の装置。
【請求項１２】
前記第３の通信帯域は５ＧＨｚの無線ローカルエリアネットワーク通信帯域を備え、前記高周波送受信機回路は、前記第３のアンテナポート及び前記スロットアンテナを使用して、前記５ＧＨｚの無線ローカルエリアネットワーク通信帯域において信号を送受信するように構成される無線ローカルエリアネットワーク送受信機を含み、前記高周波送受信機回路は前記第２のアンテナポートに結合された衛星航法システム受信機を備え、前記高周波送受信機回路は前記第１及び第２の通信帯域において信号を送受信するための前記第１のアンテナポートに結合されたセルラー電話送受信機を備えることを特徴とする、請求項１１に記載の装置。
【請求項１３】
アンテナ構造体であって、前記アンテナ構造体は、アンテナ接地、前記アンテナ接地とともに逆Ｆアンテナを形成する逆Ｆアンテナ共振要素並びにスロットアンテナとして及び前記逆Ｆアンテナの寄生アンテナ共振要素として機能するスロットアンテナ共振要素含む、アンテナ構造体と、
第１の通信帯域における信号を取り扱うために前記逆Ｆアンテナを使用し、第２の通信帯域における信号を取り扱うために前記スロットアンテナを使用する無線回路と
を備えることを特徴とする、電子機器。
【請求項１４】
前記無線回路は、
無線ローカルエリアネットワーク送受信機と、
前記無線ローカルエリアネットワーク送受信機と前記スロットアンテナ共振要素との間に結合された伝送線路構造体と
を備え、
前記無線ローカルエリアネットワーク送受信機は、前記スロットアンテナが前記第２の通信帯域における無線ローカルエリアネットワーク信号を取り扱うように、前記スロットアンテナ共振要素に直接信号供給し、前記無線回路はセルラー電話送受信機及びデュプレクサ回路を備え、前記デュプレクサ回路は前記無線ローカルエリアネットワーク送受信機に結合される第１のポート及び前記セルラー電話送受信機に結合される第２のポートを有することを特徴とする、
請求項１３に記載の電子機器。
【請求項１５】
前記デュプレクサ回路は前記逆Ｆアンテナに結合された共有ポートを有し、前記逆Ｆアンテナは第１及び第２のアンテナポートを有し、前記デュプレクサ回路の前記共有ポートは前記第１のアンテナポートに結合されることを特徴とする、請求項１４に記載の電子機器。
【請求項１６】
前記デュプレクサ回路の前記共有ポートと前記第１のアンテナポートとの間に結合された調節可能な回路を更に備え、前記調節可能な回路は前記逆Ｆアンテナを同調するように構成され、前記調節可能な回路は調節可能なコンデンサを備えることを特徴とする、請求項１５に記載の電子機器。
【請求項１７】
前記スロットアンテナ共振要素を橋絡する調節可能な回路を更に備え、前記調節可能な回路は調節可能なコンデンサを備えることを特徴とする、請求項１３に記載の電子機器。
【請求項１８】
導電性周囲筐体構造体を有する筐体を更に備え、前記逆Ｆアンテナ共振要素は前記導電性周囲筐体構造体の一部を含むことを特徴とする、請求項１３に記載の電子機器。
【請求項１９】
前記スロットアンテナ共振要素は前記導電性周囲筐体構造体の前記一部及び前記アンテナ接地から形成された縁部を有するスロットを備え、前記アンテナ構造体は前記スロットを橋絡する調節可能なコンデンサを更に備え、前記調節可能なコンデンサは前記逆Ｆアンテナを同調するように構成されることを特徴とする、請求項１８に記載の電子機器。
【請求項２０】
前記逆Ｆアンテナは少なくとも１つのアンテナポートを備え、前記電子機器は前記逆Ｆアンテナを同調するために前記アンテナポートに結合された付加的な調節可能なコンデンサを更に備え、前記調節可能なコンデンサは前記第１の通信帯域における前記逆Ｆアンテナを同調するように構成され、前記付加的な調節可能なコンデンサは第３の通信帯域における前記逆Ｆアンテナを同調するように構成され、前記第１の通信帯域は７６０ＭＨｚから９６０ＭＨｚの通信帯域を備え、前記第２の通信帯域は５ＧＨｚの無線ローカルエリアネットワーク通信帯域を備え、前記第３の通信帯域は２．３から２．７ＧＨｚの通信帯域を備え、前記電子機器は前記調節可能なコンデンサ及び前記付加的な調節可能なコンデンサを制御するように構成される制御回路を更に備えることを特徴とする、請求項１９に記載の電子機器。